(57)【要約】本発明は、電磁場を使用して、療法を患者に提供するように構成される、電気デバイスおよび／またはシステムに関し、特に、患者のために発生された電磁場が、患者の１つまたはそれを上回る器官または身体部分に関連する電気生理学的情報の測定に動的に対応する、デバイスおよびシステムに関する。患者の身体内で自然に生じる電気生理信号によって制御される、駆動される、および／またはそれに基づく、電気システムが、患者に提供される健康用途および／または医療用途のための有用電磁場を産生するために使用される。
2016526399.tif 000002
【特許請求の範囲】
【請求項１】
電磁場を使用して療法を対象に提供するためのシステムであって、
電気導線を有する電磁場発生器であって、前記電気導線を横断して誘発される電流に応答して、電磁場を発生させるように構成される、電磁場発生器と、
前記対象の１つまたはそれを上回る身体部分に関連する電気生理学的情報を伝達する出力信号を発生させるように構成される、１つまたはそれを上回るセンサと、
前記電気導線を横断して交流電流を誘発するように構成される電流源であって、前記交流電流は、前記交流電流の１つまたはそれを上回る周波数が、前記発生された出力信号の１つまたはそれを上回る周波数に対応するように、前記発生された出力信号に対応するように動的に制御される、電流源と、
を備える、システム。
【請求項２】
前記電磁場発生器は、
前記対象および／または前記対象の身体部分の一方または両方にあるいはその近傍に配列される、支持構造と、
前記支持構造の周囲に巻回されたワイヤであって、前記ワイヤは、伝導性であり、前記ワイヤは、前記電磁場が、前記支持構造でまたはその近傍で発生され、療法を前記対象に提供するように、前記電磁場発生器の電気導線と電気的に結合されるように構成される、ワイヤと、
を含む、請求項１に記載のシステム。
【請求項３】
前記支持構造は、ランナあたり少なくとも２周配列される、２つの相互に絡合された螺旋状に巻回されたランナを含み、前記支持構造は、重心を有するトロイダル形状に配列される、請求項２に記載のシステム。
【請求項４】
前記ワイヤは、前記ワイヤが、前記第１のランナと一致する軸を有する螺旋形状に配列されるように、前記２つの相互に絡合された螺旋状に巻回されたランナの第１のランナの周囲に渦巻状に巻回される、請求項３に記載のシステム。
【請求項５】
前記電磁場発生器は、前記第１のランナの周囲に巻回された第２のワイヤを含み、前記第２のワイヤは、伝導性であり、前記第２のワイヤは、前記電磁場が、前記支持構造でまたはその近傍で発生され、療法を前記対象に提供するように、前記電磁場発生器の電気導線と電気的に結合されるように構成される、請求項４に記載のシステム。
【請求項６】
前記ワイヤは、１セットの捻転されたワイヤを含む、請求項２に記載のシステム。
【請求項７】
前記ワイヤのインチあたりの捻転数は、約２〜約１００である、請求項６に記載のシステム。
【請求項８】
前記２つの相互に絡合された螺旋状に巻回されたランナはそれぞれ、約１／４インチ〜約６インチのピッチを有する、請求項３に記載のシステム。
【請求項９】
前記２つの相互に絡合された螺旋状に巻回されたランナのうちの少なくとも１つは、磁気材料を含む、請求項３に記載のシステム。
【請求項１０】
前記１つまたはそれを上回る身体部分は、心臓および／または脳を含む、請求項１に記載のシステム。
【請求項１１】
前記１つまたはそれを上回る身体部分は、肝臓および／または腎臓を含む、請求項１に記載のシステム。
【請求項１２】
前記１つまたはそれを上回る身体部分は、膵臓を含む、請求項１に記載のシステム。
【請求項１３】
前記電流源は、前記交流電流を誘発するように構成され、前記交流電流は、前記発生された出力信号のフィードバックを通して動的に制御される、請求項１に記載のシステム。
【請求項１４】
信号を増幅させるように構成される増幅器であって、前記増幅器は、入力および出力を有し、前記増幅器は、前記発生された出力信号が、前記増幅器の入力に電気的に結合されるように配列され、さらに、前記増幅器は、前記増幅器の出力からの増幅された信号が、前記電気導線に電気的に結合されるように配列される、増幅器
をさらに備える、請求項１に記載のシステム。
【請求項１５】
コンピュータプログラムモジュールを実行するように構成される、１つまたはそれを上回るプロセッサをさらに備え、前記コンピュータプログラムモジュールは、
前記出力信号に基づいて、情報を得るように構成される、入力モジュールと、
前記得られた情報を処理し、前記得られた情報に基づいて、処理された信号を発生させるように構成される、処理モジュールと、
前記処理された信号に基づいて、音信号を産生するように構成される、再生モジュールと、
を備え、
前記誘発された交流電流は、前記産生された音信号に基づく、請求項１に記載のシステム。
【請求項１６】
前記発生された出力信号は、脳電図（ＥＥＧ）信号、心電図（ＥＫＧ）信号、脳磁図（ＭＥＧ）信号、および／または音響心電図信号のうちの１つまたはそれを上回るものに対応する、請求項１に記載のシステム。
【請求項１７】
前記発生された電磁場は、神経障害疾患のための療法を提供するために使用される、請求項１に記載のシステム。
【請求項１８】
前記発生された電磁場は、再生医療の分野で使用される、請求項１に記載のシステム。
【請求項１９】
前記発生された電磁場は、リハビリテーションの分野で使用される、請求項１に記載のシステム。
【請求項２０】
前記発生された電磁場は、疼痛管理の分野で使用される、請求項１に記載のシステム。
【請求項２１】
電磁場を使用して療法を対象に提供するためのシステムであって、
電気導線を有する電磁場発生器であって、前記電気導線を横断して誘発される電流に応答して、電磁場を発生させるように構成される、電磁場発生器と、
１つまたはそれを上回る前記対象の身体部分に関連する情報を伝達する音響信号を、主に、２０Ｈｚ〜２０ｋＨｚの範囲の周波数を含む、電気信号に変換するように構成される、変換器と、
を備え、交流電流が、前記電気導線を横断して誘発され、前記誘発された交流電流は、前記電気信号に基づき、前記交流電流の１つまたはそれを上回る周波数は、前記電気信号の１つまたはそれを上回る周波数に対応する、システム。
【請求項２２】
前記電磁場発生器は、
前記対象および／または前記対象の身体部分の一方または両方にあるいはその近傍に配列される、支持構造と、
前記支持構造の周囲に巻回されたワイヤであって、前記ワイヤは、伝導性であり、前記ワイヤは、前記電磁場が、前記支持構造でまたはその近傍で発生され、療法を前記対象に提供するように、前記電磁場発生器の電気導線と電気的に結合されるように構成される、ワイヤと、
を含む、請求項２１に記載のシステム。
【請求項２３】
前記支持構造は、ランナあたり少なくとも２周配列される、２つの相互に絡合された螺旋状に巻回されたランナを含み、前記支持構造は、重心を有するトロイダル形状に配列される、請求項２２に記載のシステム。
【請求項２４】
前記ワイヤは、前記ワイヤが、前記第１のランナと一致する軸を有する螺旋形状に配列されるように、前記２つの相互に絡合された螺旋状に巻回されたランナの第１のランナの周囲に渦巻状に巻回される、請求項２３に記載のシステム。
【請求項２５】
前記１つまたはそれを上回る身体部分は、心臓および／または脳を含む、請求項２１に記載のシステム。
【請求項２６】
前記１つまたはそれを上回る身体部分は、肝臓および／または腎臓を含む、請求項２１に記載のシステム。
【請求項２７】
前記１つまたはそれを上回る身体部分は、膵臓を含む、請求項２１に記載のシステム。
【請求項２８】
前記電気信号を増幅し、前記増幅された電気信号が、前記交流電流を誘発するように、増幅された電気信号を産生するように構成される、増幅器
をさらに備える、請求項２１に記載のシステム。
【請求項２９】
コンピュータプログラムモジュールを実行するように構成される、１つまたはそれを上回るプロセッサをさらに備え、前記コンピュータプログラムモジュールは、
前記電気信号に基づいて、情報を得るように構成される、入力モジュールと、
前記得られた情報を処理し、前記得られた情報に基づいて、処理された信号を発生させるように構成される、処理モジュールと、
前記処理された信号に基づいて、音信号を産生するように構成される、再生モジュールと、
を備え、前記誘発された交流電流は、前記産生された音信号に基づく、請求項２１に記載のシステム。
【請求項３０】
前記変換器は、聴診器を含む、請求項２１に記載のシステム。
【請求項３１】
発生された出力信号は、脳電図（ＥＥＧ）信号、心電図（ＥＫＧ）信号、脳磁図（ＭＥＧ）信号、および／または音響心電図信号のうちの１つまたはそれを上回るものに対応する、請求項２１に記載のシステム。
【請求項３２】
前記発生された電磁場は、神経障害疾患のための療法を提供するために使用される、請求項２１に記載のシステム。
【請求項３３】
前記発生された電磁場は、再生医療の分野で使用される、請求項２１に記載のシステム。
【請求項３４】
前記発生された電磁場は、リハビリテーションの分野で使用される、請求項２１に記載のシステム。
【請求項３５】
前記発生された電磁場は、疼痛管理の分野で使用される、請求項２１に記載のシステム。
【請求項３６】
前記電磁場発生器は、ランナあたり少なくとも２周配列される２つの相互に絡合された螺旋状に巻回されたランナを含み、前記２つの相互に絡合された螺旋状に巻回されたランナは、第１のランナおよび第２のランナを含み、前記電磁場発生器はさらに、前記第１のランナと一致する軸を有する螺旋形状において、前記第１のランナの周囲に渦巻状に巻回された第１のセットの捻転された伝導性ワイヤを含み、前記電磁場発生器はさらに、前記第２のランナと一致する軸を有する螺旋形状において、前記第２のランナの周囲に渦巻状に巻回された第２のセットの捻転された伝導性ワイヤを含む、請求項２１に記載のシステム。
【請求項３７】
電磁場を使用して療法を対象に提供するための方法であって、
支持構造を前記対象および／または前記対象の身体部分の一方または両方にあるいはその近傍に配列するステップであって、前記支持構造は、伝導性ワイヤを含む、ステップと、
１つまたはそれを上回る前記対象の身体部分に関連する電気生理学的情報を伝達する出力信号を発生させるステップと、
前記伝導性ワイヤを通して交流電流を誘発するステップであって、前記交流電流は、前記交流電流の１つまたはそれを上回る周波数が、前記発生された出力信号の１つまたはそれを上回る周波数に対応し、それによって、電磁場を前記対象および／または前記対象の身体部分の一方または両方にあるいはその近傍に発生させるように、前記発生された出力信号に対応するように動的に制御され、前記電磁場は、療法を前記対象に提供する、ステップと、
を含む、方法。
【請求項３８】
前記支持構造は、ランナあたり少なくとも２周配列される２つの相互に絡合された螺旋状に巻回されたランナを含む、請求項３７に記載の方法。
【請求項３９】
前記伝導性ワイヤは、前記２つの相互に絡合された螺旋状に巻回されたランナの第１のランナと一致する軸を有する螺旋形状に配列される、請求項３８に記載の方法。
【請求項４０】
前記出力信号に基づいて、情報を得るステップと、
前記得られた情報を処理するステップと、
前記得られた情報に基づいて、処理された信号を発生させるステップと、
前記処理された信号に基づいて、音信号を産生するステップと、
をさらに含み、前記交流電流は、前記産生された音信号に対応するように動的に制御される、請求項３７に記載の方法。
【請求項４１】
電磁場を使用して療法を対象に提供するための方法であって、
前記対象および／または前記対象の身体部分の一方または両方にあるいはその近傍に支持構造を配列するステップであって、前記支持構造は、伝導性捻転ワイヤを含む、ステップと、
１つまたはそれを上回る前記対象の身体部分に関連する情報を伝達する音響信号を、主に、２０Ｈｚ〜２０ｋＨｚの範囲の周波数を含む、電気信号に変換するステップと、
前記伝導性捻転ワイヤを通して交流電流を誘発するステップであって、前記交流電流の１つまたはそれを上回る周波数は、前記電気信号の１つまたはそれを上回る周波数に対応し、それによって、電磁場を前記対象および／または前記対象の身体部分の一方または両方にあるいはその近傍に発生させ、前記電磁場は、療法を前記対象に提供する、ステップと、
を含む、方法。
【発明の詳細な説明】
【技術分野】
【０００１】
本発明は、電磁場を使用して、療法を患者に提供するように構成される、電気デバイスおよび／またはシステムに関し、特に、患者のために発生された電磁場が、患者の１つまたはそれを上回る器官または身体部分に関連する電気生理学的情報の測定に動的に対応する、デバイスおよびシステムに関する。
【背景技術】
【０００２】
渦巻状に巻回された電気導体が、ある電磁特性を呈する、および／または特定の電磁場を発生させるために使用され得ることは公知である。例えば、電磁コイルが、誘導子および／または変圧器の一部として作用し得、電気回路内における多くの確立された有用な用途を有することは公知である。電磁コイルの用途は、例えば、活性電流源が、コイルに動作可能に結合されるときに生成される、電磁場を利用してもよい。
【発明の概要】
【課題を解決するための手段】
【０００３】
本発明の一側面は、療法を対象に提供する、および／または対象における健康効果を増進させるためのシステムに関する。本システムは、電磁場発生器、１つまたはそれを上回るセンサ、１つまたはそれを上回る電流源、変換器、および／または他の構成要素のうちの１つまたはそれを上回るものを含んでもよい。電磁場発生器は、電気導線を有してもよい。電磁場発生器は、電気導線を横断して誘発される電流に応答して、電磁場を発生させるように構成されてもよい。１つまたはそれを上回るセンサは、電気生理学的情報を伝達する出力信号を発生させるように構成されてもよい。１つまたはそれを上回るセンサは、対象の電気生理学的情報の測定に関する出力信号を発生させるように構成されてもよい。電気生理学的情報は、限定ではないが、心臓、脳、腎臓、肝臓、膵臓、脊椎、身体の種々の細胞、および／または対象の他の器官あるいは身体部分を含む、対象の１つまたはそれを上回る器官または身体部分に関連する情報を含んでもよい。本明細書で使用されるように、用語「身体部分」は、対象の任意の器官、対象の任意の細胞、ならびに対象の身体の任意の他の部分を含む。１つまたはそれを上回る電流源は、限定ではないが、電磁場発生器の電気導線を含む、電気導線を横断して１つまたはそれを上回る電流を誘発するように構成されてもよい。いくつかの実施形態では、１つまたはそれを上回る電流は、交流電流を含んでもよい。いくつかの実施形態では、１つまたはそれを上回る誘発された電流は、１つまたはそれを上回るセンサ発生出力信号に対応してもよい。変換器は、音響信号を電気信号を変換するようにおよび／またはその逆に変換するように構成されてもよい。いくつかの実施形態では、１つまたはそれを上回る誘発された電流は、変換器によって発生された１つまたはそれを上回る信号に対応してもよい。
【０００４】
いくつかの実施形態では、電磁場発生器は、支持構造、１つまたはそれを上回る伝導性ワイヤ、および／または他の構成要素のうちの１つまたはそれを上回るものを含んでもよい。いくつかの実施形態では、支持構造は、第１のランナおよび第２のランナと称される、ランナあたり少なくとも２周配列される、２つの相互に絡合された螺旋状に巻回されたランナを含んでもよい。支持構造は、重心を有するトロイダル形状に配列されてもよい。重心は、例えば、療法の間、対象および／または対象の身体部分の一方または両方にあるいはその近傍に配列されてもよい。
【０００５】
伝導性ワイヤが、第１のランナおよび／または第２のランナの周囲に渦巻状に巻回されてもよい。いくつかの実施形態では、伝導性ワイヤは、例えば、第１のワイヤおよび第２のワイヤを含む実施形態では、各ランナの周囲に渦巻状に巻回されてもよい。いくつかの実施形態では、複数の伝導性ワイヤが、個々のランナの周囲に渦巻状に巻回されてもよい。１つまたはそれを上回る伝導性ワイヤの導線は、１つまたはそれを上回る電流源と電気的に結合され、電磁場が、重心にまたはその近傍に生成され、療法を対象に提供するように、伝導性ワイヤを通して１つまたはそれを上回る電流を受信するように構成されてもよい。
【０００６】
本明細書で使用されるように、「ワイヤ」は、限定ではないが、１セットの２つの捻転されたワイヤを含む、１セットの捻転されたワイヤ（「捻転ワイヤ」と互換可能に称され得る）を含んでもよい。インチおよび／またはランナの螺旋周回あたりの１セットの捻転されたワイヤの巻数は、システムの特性測定値／特徴であり得る。いくつかの実施形態では、捻転されたワイヤのインチあたりの捻転数は、約２、約５、約１０、約２０、約１００、および／または別の好適な捻転数であってもよい。いくつかの実施形態では、交流電流および／または対応する発生された電磁場の周波数特性は、捻転されたワイヤの捻転数に基づく、それに比例する、および／または別様に関連してもよい。例えば、インチあたりのより高い捻転数は、交流電流および／または対応する発生された電磁場のためのより高い動作周波数に対応し得る。いくつかの実施形態では、複数の捻転されたワイヤ（例えば、第１のランナの周囲に巻回された第１の捻転されたワイヤおよび第２のランナの周囲に巻回された第２の捻転されたワイヤ）が、同一捻転方向および／または異なる捻転方向を有してもよい。
【０００７】
いくつかの実施形態では、伝導性ワイヤは、第１のランナの周囲に渦巻状に巻回され、第１のランナの周囲に２本巻コイルを形成してもよい。いくつかの実施形態では、別の伝導性ワイヤが、第２のランナの周囲に渦巻状に巻回され、第２のランナの周囲に第２の２本巻コイルを形成してもよい。いくつかの実施形態では、第１のワイヤの２つの導線は、第１の電流源に電気的に結合され、第１の電流を受電するように構成される。いくつかの実施形態では、第２のワイヤの２つの導線は、同一電流源または異なる電流源に電気的に結合され、第２の電流を受電するように構成される。第１の電流および／または第２の電流は、電磁場を発生させる。いくつかの実施形態では、本システムは、１つまたはそれを上回る抵抗要素を含んでもよい。１つまたはそれを上回る抵抗要素は、第１のワイヤ、第２のワイヤ、および１つまたはそれを上回る抵抗要素の公称インピーダンスが、実質的に、１つまたはそれを上回る電流源のインピーダンスに合致する、所定の値を有するよう、第１のワイヤおよび／または第２のワイヤの一方または両方に電気的に結合されてもよい。
【０００８】
いくつかの実施形態では、本システムは、コンピュータプログラムモジュールを実行するように構成される、１つまたはそれを上回るプロセッサを含んでもよい。１つまたはそれを上回るプロセッサは、物理的プロセッサを含んでもよい。コンピュータプログラムモジュールは、入力モジュール、処理モジュール、再生モジュール、および／または他のコンピュータプログラムモジュールのうちの１つまたはそれを上回るものを含んでもよい。入力モジュールは、センサ発生出力信号に基づいて、情報を得るように構成されてもよい。処理モジュールは、入力モジュールから得られた情報を処理するように構成されてもよい。いくつかの実施形態では、処理モジュールは、入力モジュールからの得られた情報に基づいて、処理された信号を発生させるように構成されてもよい。再生モジュールは、入力モジュールから得られた情報および／または処理モジュールから処理された信号のうちの１つまたはそれを上回るものに基づいて、音信号を産生するように構成されてもよい。再生モジュールによって産生された音信号は、誘発された電流が、音信号に対応する、および／またはそれに基づくように、１つまたはそれを上回る伝導性ワイヤの導線に電気的に結合されてもよい。いくつかの実施形態では、誘発される（交流）電流の１つまたはそれを上回る周波数は、センサ発生出力信号および／または再生モジュールによって産生された音信号のいずれかの１つまたはそれを上回る周波数に対応してもよい。
【０００９】
本発明の一側面は、療法を対象に提供し、および／または対象における健康効果を助長するための方法に関する。本方法は、対象および／または対象の身体部分の一方または両方にあるいはその近傍に支持構造を配列するステップと、対象の電気生理学的情報を伝達する出力信号を発生させるステップと、電磁場を対象および／または対象の身体部分の一方または両方にあるいはその近傍に発生させる電流を誘発するステップとを含んでもよい。支持構造は、本開示内のいずれかにおいて支持構造に属するような特徴、機能性、および／または構成要素のいずれかを含んでもよい。誘発された電流は、センサ発生出力信号および／またはそこから導出された情報に対応する、および／またはそれに基づいてもよい。
【００１０】
本発明の一側面は、療法を対象に提供する、および／または対象における健康効果を助長するための方法に関する。本方法は、対象および／または対象の身体部分の一方または両方にあるいはその近傍に支持構造を配列するステップと、対象の電気生理学的情報を伝達する出力信号を発生させるステップと、発生された出力信号を音響信号に変換するステップと、電磁場を対象および／または対象の身体部分の一方または両方にあるいはその近傍に発生させる電流を誘発するステップとを含んでもよい。支持構造は、本開示内のいずれかにおいて支持構造に属するような特徴、機能性、および／または構成要素のいずれかを含んでもよい。誘発された電流は、センサ発生出力信号および／または音響信号の一方または両方に対応する、および／またはそれに基づいてもよい。
【００１１】
本開示のこれらおよび他の目的、特徴、ならびに特性と、構造の関連構成要素および部分の組み合わせの動作の方法ならびに機能と、製造の経済性は全て、本明細書の一部を形成し、類似参照番号が、種々の図中の対応する部分を指定する、付随の図面を参照して、以下の説明および添付の請求項を検討することによって、より明白となるであろう。しかしながら、図面は、例証および説明の目的にすぎず、任意の限定の定義として意図されないことを明示的に理解されたい。明細書および請求項において使用されるように、単数形「ａ」、「ａｎ」、および「ｔｈｅ」は、文脈によって明確に別様に示されない限り、複数参照を含む。
【００１２】
本明細書に提供される説明によると、添付の請求項に記載のように、電磁場を使用して療法を対象に提供するためのシステムであって、電気導線を有する電磁場発生器であって、電気導線を横断して誘発される電流に応答して、電磁場を発生させるように構成される、電磁場発生器と、対象の１つまたはそれを上回る身体部分に関連する電気生理学的情報を伝達する出力信号を発生させるように構成される、１つまたはそれを上回るセンサと、電気導線を横断して交流電流を誘発するように構成される電流源であって、交流電流は、交流電流の１つまたはそれを上回る周波数が、発生された出力信号の１つまたはそれを上回る周波数に対応するように、発生された出力信号に対応するように動的に制御される、電流源とを備える、システムが、提供される。
【００１３】
一実施形態では、電磁場発生器は、対象および／または対象の身体部分の一方または両方にあるいはその近傍に配列される、支持構造と、支持構造の周囲に巻回されたワイヤであって、ワイヤは、伝導性であり、ワイヤは、電磁場が、支持構造でまたはその近傍で発生され、療法を対象に提供するように、電磁場発生器の電気導線と電気的に結合されるように構成される、ワイヤとを含む。
【００１４】
一実施形態では、支持構造は、ランナあたり少なくとも２周配列される、２つの相互に絡合された螺旋状に巻回されたランナを含み、支持構造は、重心を有するトロイダル形状に配列される。
【００１５】
一実施形態では、ワイヤは、ワイヤが、第１のランナと一致する軸を有する螺旋形状に配列されるように、２つの相互に絡合された螺旋状に巻回されたランナの第１のランナの周囲に渦巻状に巻回される。
【００１６】
一実施形態では、電磁場発生器は、第１のランナの周囲に巻回された第２のワイヤを含み、第２のワイヤは、伝導性であり、第２のワイヤは、電磁場が、支持構造でまたはその近傍で発生され、療法を対象に提供するように、電磁場発生器の電気導線と電気的に結合されるように構成される。
【００１７】
一実施形態では、ワイヤは、１セットの捻転されたワイヤを含む。好ましくは、ワイヤのインチあたりの捻転数は、約２〜約１００である。
【００１８】
一実施形態では、２つの相互に絡合された螺旋状に巻回されたランナはそれぞれ、約１／４インチ〜約６インチのピッチを有する。
【００１９】
一実施形態では、２つの相互に絡合された螺旋状に巻回されたランナのうちの少なくとも１つは、磁気材料を含む。
【００２０】
一実施形態では、１つまたはそれを上回る身体部分は、心臓および／または脳を含む。
【００２１】
一実施形態では、１つまたはそれを上回る身体部分は、肝臓および／または腎臓を含む。
【００２２】
一実施形態では、１つまたはそれを上回る身体部分は、膵臓を含む。
【００２３】
一実施形態では、電流源は、交流電流を誘発するように構成され、交流電流は、発生された出力信号のフィードバックを通して動的に制御される。
【００２４】
一実施形態では、システムはさらに、信号を増幅させるように構成される増幅器であって、増幅器は、入力および出力を有し、発生された出力信号が、増幅器の入力に電気的に結合されるように配列され、さらに、増幅器の出力からの増幅された信号が、電気導線に電気的に結合されるように配列される、増幅器を備える。
【００２５】
一実施形態では、本システムはさらに、コンピュータプログラムモジュールを実行するように構成される、１つまたはそれを上回るプロセッサを備え、コンピュータプログラムモジュールは、出力信号に基づいて、情報を得るように構成される、入力モジュールと、得られた情報を処理し、得られた情報に基づいて、処理された信号を発生させるように構成される、処理モジュールと、処理された信号に基づいて、音信号を産生するように構成される、再生モジュールとを備え、誘発された交流電流は、産生された音信号に基づく。
【００２６】
一実施形態では、発生された出力信号は、脳電図（ＥＥＧ）信号、心電図（ＥＫＧ）信号、脳磁図（ＭＥＧ）信号、および／または音響心電図信号のうちの１つまたはそれを上回るものに対応する。
【００２７】
一実施形態では、発生された電磁場は、神経障害疾患のための療法を提供するために使用される。
【００２８】
一実施形態では、発生された電磁場は、再生医療の分野で使用される。
【００２９】
一実施形態では、発生された電磁場は、リハビリテーションの分野で使用される。
【００３０】
一実施形態では、発生された電磁場は、疼痛管理の分野で使用される。
【００３１】
さらなる実施形態では、電磁場を使用して療法を対象に提供するためのシステムであって、電気導線を有する電磁場発生器であって、電気導線を横断して誘発される電流に応答して、電磁場を発生させるように構成される、電磁場発生器と、１つまたはそれを上回る対象の身体部分に関連する情報を伝達する音響信号を、主に、２０Ｈｚ〜２０ｋＨｚの範囲の周波数を含む、電気信号に変換するように構成される、変換器とを備え、交流電流が、電気導線を横断して誘発され、誘発された交流電流は、電気信号に基づき、交流電流の１つまたはそれを上回る周波数は、電気信号の１つまたはそれを上回る周波数に対応する、システムが、提供される。
【００３２】
一実施形態では、電磁場発生器は、対象および／または対象の身体部分の一方または両方にあるいはその近傍に配列される、支持構造と、支持構造の周囲に巻回されたワイヤであって、ワイヤは、伝導性であって、電磁場が、支持構造でまたはその近傍で発生され、療法を対象に提供するように、電磁場発生器の電気導線と電気的に結合されるように構成される、ワイヤとを含む。
【００３３】
一実施形態では、支持構造は、ランナあたり少なくとも２周配列される、２つの相互に絡合された螺旋状に巻回されたランナを含み、支持構造は、重心を有するトロイダル形状に配列される。好ましくは、ワイヤは、ワイヤが、第１のランナと一致する軸を有する螺旋形状に配列されるように、２つの相互に絡合された螺旋状に巻回されたランナの第１のランナの周囲に渦巻状に巻回される。
【００３４】
一実施形態では、１つまたはそれを上回る身体部分は、心臓および／または脳を含む。
【００３５】
一実施形態では、１つまたはそれを上回る身体部分は、肝臓および／または腎臓を含む。
【００３６】
一実施形態では、１つまたはそれを上回る身体部分は、膵臓を含む。
【００３７】
一実施形態では、システムはさらに、電気信号を増幅し、増幅された電気信号が、交流電流を誘発するように、増幅された電気信号を産生するように構成される、増幅器を備える。
【００３８】
一実施形態では、システムはさらに、コンピュータプログラムモジュールを実行するように構成される、１つまたはそれを上回るプロセッサを備え、コンピュータプログラムモジュールは、電気信号に基づいて、情報を得るように構成される、入力モジュールと、得られた情報を処理し、得られた情報に基づいて、処理された信号を発生させるように構成される、処理モジュールと、処理された信号に基づいて、音信号を産生するように構成される、再生モジュールとを備え、誘発された交流電流は、産生された音信号に基づく。
【００３９】
一実施形態では、変換器は、聴診器を含む。
【００４０】
一実施形態では、発生された出力信号は、脳電図（ＥＥＧ）信号、心電図（ＥＫＧ）信号、脳磁図（ＭＥＧ）信号、および／または音響心電図信号のうちの１つまたはそれを上回るものに対応する。
【００４１】
一実施形態では、発生された電磁場は、神経障害疾患のための療法を提供するために使用される。
【００４２】
一実施形態では、発生された電磁場は、再生医療の分野で使用される。
【００４３】
一実施形態では、発生された電磁場は、リハビリテーションの分野で使用される。
【００４４】
一実施形態では、発生された電磁場は、疼痛管理の分野で使用される。
【００４５】
一実施形態では、電磁場発生器は、ランナあたり少なくとも２周配列される２つの相互に絡合された螺旋状に巻回されたランナを含み、２つの相互に絡合された螺旋状に巻回されたランナは、第１のランナおよび第２のランナを含み、電磁場発生器はさらに、第１のランナと一致する軸を有する螺旋形状において、第１のランナの周囲に渦巻状に巻回された第１のセットの捻転された伝導性ワイヤを含み、電磁場発生器はさらに、第２のランナと一致する軸を有する螺旋形状において、第２のランナの周囲に渦巻状に巻回された第２のセットの捻転された伝導性ワイヤを含む。
【００４６】
さらなる実施形態では、電磁場を使用して療法を対象に提供するための方法であって、支持構造を対象および／または対象の身体部分の一方または両方にあるいはその近傍に配列するステップであって、支持構造は、伝導性ワイヤを含む、ステップと、１つまたはそれを上回る対象の身体部分に関連する電気生理学的情報を伝達する出力信号を発生させるステップと、伝導性ワイヤを通して交流電流を誘発するステップであって、交流電流は、交流電流の１つまたはそれを上回る周波数が、発生された出力信号の１つまたはそれを上回る周波数に対応し、それによって、電磁場を対象および／または対象の身体部分の一方または両方にあるいはその近傍に発生させるように、発生された出力信号に対応するように動的に制御され、電磁場は、療法を対象に提供する、ステップとを含む、方法が、提供される。
【００４７】
一実施形態では、支持構造は、ランナあたり少なくとも２周配列される２つの相互に絡合された螺旋状に巻回されたランナを含む。
【００４８】
一実施形態では、伝導性ワイヤは、２つの相互に絡合された螺旋状に巻回されたランナの第１のランナと一致する軸を有する螺旋形状に配列される。
【００４９】
一実施形態では、本方法はさらに、出力信号に基づいて、情報を得るステップと、得られた情報を処理するステップと、得られた情報に基づいて、処理された信号を発生させるステップと、処理された信号に基づいて、音信号を産生するステップとを含み、交流電流は、産生された音信号に対応するように動的に制御される。
【００５０】
なおもさらなる実施形態では、電磁場を使用して療法を対象に提供するための方法であって、対象および／または対象の身体部分の一方または両方にあるいはその近傍に支持構造を配列するステップであって、支持構造は、伝導性捻転ワイヤを含む、ステップと、１つまたはそれを上回る対象の身体部分に関連する情報を伝達する音響信号を、主に、２０Ｈｚ〜２０ｋＨｚの範囲の周波数を含む、電気信号に変換するステップと、伝導性捻転ワイヤを通して交流電流を誘発するステップであって、交流電流の１つまたはそれを上回る周波数は、電気信号の１つまたはそれを上回る周波数に対応し、それによって、電磁場を対象および／または対象の身体部分の一方または両方にあるいはその近傍に発生させ、電磁場は、療法を対象に提供する、ステップとを含む、方法が、提供される。
【図面の簡単な説明】
【００５１】
【図１】図１は、１つまたはそれを上回る実施形態による、療法を対象に提供する、および／または対象における健康効果を増進させるためのシステムを図式的に図示する。
【図２】図２は、１つまたはそれを上回る実施形態による、療法を対象に提供する、および／または対象における健康効果を増進させるためのシステムを図式的に図示する。
【図３Ａ】図３Ａ−３Ｂは、１つまたはそれを上回る実施形態による、療法を対象に提供する、および／または対象における健康効果を助長するための方法を図示する。
【図３Ｂ】図３Ａ−３Ｂは、１つまたはそれを上回る実施形態による、療法を対象に提供する、および／または対象における健康効果を助長するための方法を図示する。
【図４】図４は、１つまたはそれを上回る実施形態による、療法を対象に提供する、および／または対象における健康効果を増進させるためのシステムを図式的に図示する。
【発明を実施するための形態】
【００５２】
図１は、１つまたはそれを上回る実施形態による、療法を対象１０６に提供する、および／または対象１０６における健康効果を増進させるためのシステム１０を図示する。療法および／または健康効果として、限定ではないが、疼痛緩和、疼痛管理、不快感の緩和、炎症の軽快、可動域の改善、毛髪成長、組織修復、骨成長／修復、再生効果、循環の改善、微小循環の改善、治癒の加速、リハビリテーション、および／または生体における他のタイプの療法および／または健康効果のうちの１つまたはそれを上回るものが挙げられ得る。療法および／または健康効果は、限定ではないが、糖尿病性神経障害および／または他の神経障害疾患を含む、種々の病状のために使用されてもよい。療法および／または健康効果は、限定ではないが、幹細胞療法、再生医療、リハビリテーション、および／または他のタイプの療法を含む、種々の医療治療、技法、および／または技術と併用されてもよい。
【００５３】
システム１０は、器官、腱、靭帯、骨、脊椎、および／または身体の他の部分上で動作してもよい。システム１０は、対象１０６の身体上の任意の場所に留置されてもよい。システム１０は、電磁場発生器１５、１つまたはそれを上回るセンサ１４２、１つまたはそれを上回る電流源（例えば、電流源１１および／または電流源１２を含む）、増幅器２０、および／または他の構成要素のうちの１つまたはそれを上回るものを含んでもよい。図２を参照すると、いくつかの実施形態では、システム１０は、変換器１４３、１つまたはそれを上回るプロセッサ１１０、ユーザインターフェース１２０、電子記憶１３０、入力モジュール１１１、再生モジュール１１２、処理モジュール１１３、および／または他の構成要素および／またはモジュールのうちの１つまたはそれを上回るものを含んでもよい。図に描写され、本開示に説明される特徴は、いくつかの実施形態では、組み合わせられてもよい。
【００５４】
図１を参照すると、いくつかの実施形態では、電磁場発生器１５は、支持構造８５、第１のワイヤ８６、および／または他のワイヤおよび／または構成要素のうちの１つまたはそれを上回るものを含んでもよい。支持構造８５のサイズに対する対象１０６のサイズの描写は、限定を意味するものではない。
【００５５】
描写されるように、図１におけるシステム１０の支持構造８５は、支柱９０によって結合される、同一の（円形）軸を共有し、ランナの一方または両方の周囲に渦巻状に巻回された１つまたはそれを上回る伝導性ワイヤを有する、２つの相互に絡合された螺旋状に巻回されたランナ、すなわち、ランナ８８およびランナ８９を含む。言い換えると、支持構造８５のランナ８８およびランナ８９は、その周囲に、ワイヤ８６およびワイヤ８７が、それぞれ、渦巻状に巻回される、コアを形成する。図１に描写されるように、支持構造８５は、２つのワイヤ、すなわち、ワイヤ８６およびワイヤ８７を含む。いくつかの実施形態では、システム１０は、１つのランナ、３つのランナ、および／または別の数のランナを含んでもよい。
【００５６】
図１におけるシステム１０の支持構造８５のランナ８８およびランナ８９は、その端部がともに配列される、屈曲、捻転、および／または成形された螺旋と同様にまたは実質的に同一の３次元曲線の形状で配列される。支持構造８５の形状は、ＤＮＡの一般形状に類似することに留意されたい。螺旋のピッチは、例えば、螺旋の軸に平行に測定される、１回３６０度の螺旋巻（周回として知られる）の幅であってもよい。相互に絡合された螺旋状に巻回されたランナは、同一軸を共有し、合同であって、および／または、例えば、ピッチの分部にあたる、軸に沿った平行移動分だけ異なってもよい。電磁場発生器１５内のランナの螺旋形状のピッチは、約１／４インチ、約１／２インチ、約１インチ、約２インチ、約３インチ、約６インチ、約１フィート、および／または他の好適なピッチの範囲であってもよい。
【００５７】
図１に示される２つのランナは、例示的実施形態のように、同一軸を共有し、約８周にわたって延在してもよい。いくつかの実施形態では、周回数は、２〜約１００の任意の数および／または別の好適な数であってもよい。螺旋形状は、一定ピッチ、一定半径（軸に垂直な平面で測定される）、一定ねじれ率、一定曲率、曲率とねじれ率の一定比率、および／または直線軸を有してもよい。図１に描写されるように、ランナによって形成される螺旋形状は、円形軸を有してもよく、電磁場発生器は、したがって、トロイダル形状を有してもよい。電磁場発生器内でランナがどれだけきつく巻回されるかの測定値は、限定ではないが、ランナのピッチ、巻回されたワイヤのピッチ、螺旋形状の半径（例えば、ランナが円形を形成する平面に垂直なトロイダル形状の断面積の半径）、ランナによって形成される角度（例えば、ゼロ角度がゼロピッチに対応し、９０度角度が無限ピッチに対応するような、その螺旋の断面平面とランナの０〜９０度の角度）、周回間の距離、および／または他の特性測定値あるいはそれらの組み合わせを含む、１つまたはそれを上回る他の測定値および／または測定値の組み合わせ／比率によって特徴付けられ得る。
【００５８】
ランナの断面の形状は、円形、卵形、正方形、三角形、長方形、角張った形状、多角形、および／または他の形状のうちの１つまたはそれを上回るものを含んでもよい。ランナの断面の幅および高さは、実践目的のために限定されてもよい。例えば、本明細書に説明される目的のために、いくつかの実施形態では、例えば、図１に示されるように、支持構造８５の周縁内に利用可能な空間が存在するように、支持構造８５を配列することが好ましくあり得る。図１に描写されるように、ランナ８８およびランナ８９の断面の形状は、円形であってもよい。本開示の実施形態は、所与の実施例のいずれによっても限定されるよう意図されないことに留意されたい。
【００５９】
図１におけるシステム１０のランナ８８、ランナ８９、および／または支柱９０は、プラスチック、銅、ニッケル、鉄、軟鉄、ニッケル合金、および／または他の金属ならびに合金を含む金属で鍍着されたプラスチック、ならびに／あるいは他の材料のうちの１つまたはそれを上回るものから製造されてもよい。いくつかの実施形態では、個々のランナは、磁気材料から作製されてもよい。いくつかの実施形態では、個々のランナは、透磁性材料から作製される、および／またはそれを含んでもよい。代替として、および／または同時に、いくつかの実施形態では、個々のランナは、非強磁性材料から作製される、および／またはそれを含んでもよい。いくつかの実施形態では、同一システム内の複数のランナは、異なる材料から作製されてもよい。いくつかの実施形態では、ランナ８８、ランナ８９、および支柱９０は、非伝導性材料から製造される。ランナ８８、ランナ８９、および支柱９０は、異なる材料から製造されてもよい。ランナ８８、ランナ８９、および支柱９０は、一体型構造を通して製造される、または組み立てに先立って、別個に形成されてもよい。前述は、いかようにも、本体の製造（プロセス）を支持構造８５と同様または実質的に同一のものに限定することを意図するものではない。
【００６０】
図１を参照すると、本説明に含まれる任意の図に列挙される任意のワイヤのようなワイヤ８６およびワイヤ８７は、絶縁される、絶縁されない、または部分的に絶縁され、部分的に絶縁されなくてもよい。
【００６１】
図１におけるシステム１０の支持構造８５の形状は、概して、トロイダルであってもよい。いくつかの実施形態では、システム１０の支持構造は、円形、多角形、および／または他の形状を含む、任意の平面形状に配列されてもよい。代替として、および／または同時に、支持構造８５等の支持構造は、３次元曲線（空間曲線として知られる）に配列されてもよい。支持構造８５のランナ８８およびランナ８９は、その周囲に、ワイヤ８６およびワイヤ８７が、それぞれ、渦巻状に巻回されるように、コアを形成してもよい。したがって、ワイヤ８６およびワイヤ８７は、それぞれ、ランナ８８およびランナ８９と整合する軸を有する、螺旋形状に配列されてもよい。図１に示されるように、ワイヤ８６および８７は、支持構造８５の支柱９０のいずれかの周囲および／または支柱９０のうちの１つとランナ８８および８９のうちの１つとの間の任意の係合点の周囲を回るように巻回されてもよい。ランナの１周あたりのワイヤ巻数の数および／または隣接する支柱間のワイヤ巻数の数は、支持構造８５の特性測定値／特徴であり得る。図１では、ワイヤ８６およびワイヤ８７は、それぞれ、ランナ８８およびランナ８９と関連付けられた隣接する支柱間に約３〜５巻、および／またはある他の数の巻数を成すように配列される。図１の描写は、例示であって、限定を意図しない。
【００６２】
ワイヤ８６は、２つの導線、すなわち、導線８６ａおよび導線８６ｂを含んでもよい。ワイヤ８７は、２つの導線、すなわち、導線８７ａおよび導線８７ｂを含んでもよい。システム１０では、支持構造８５は、ワイヤ８６およびワイヤ８７の一方または両方との電気結合が、例えば、電流源１１とワイヤ８６の導線８６ａおよび８６ｂの結合を通して、および電流源１２とワイヤ８７の導線８７ａおよび８７ｂの結合を通して、確立され得るように配列される、例えば、電流源１１および／または電流源１２等の１つまたはそれを上回る電源および／または電流源と電気的に結合される。ワイヤ８６に供給される電流は、直流電流または交流電流であってもよい。ワイヤ８７に供給される電流は、直流電流または交流電流であってもよい。ワイヤ８６およびワイヤ８７に供給される電流は、同一の方向または反対方向に流動してもよい。いくつかの実施形態では、ワイヤ８６およびワイヤ８７の導線は、同一の電流源と電気的に結合されてもよい。
【００６３】
交流電流の場合、０Ｈｚ〜１００ＧＨｚの範囲の動作周波数が、想定される。１ｐＡ〜１０Ａの範囲の動作電流が、想定される。１ｍＶ〜２０ｋＶの範囲の動作電圧が、想定される。いくつかの実施形態では、約１．６Ｖ未満の二乗平均平方根電圧が、ワイヤ８６および／またはワイヤ８７に供給される。いくつかの実施形態では、約０．２５Ｖを上回る二乗平均平方根電圧が、ワイヤ８６および／またはワイヤ８７に供給される。好ましい実施形態では、ワイヤ８６および／またはワイヤ８７に供給される交流電流の周波数は、０Ｈｚ〜２０ｋＨｚまたは可聴範囲内である。いくつかの実施形態では、電流は、約１ｐＡ、１ｎＡ、１ｍＡ、１００ｍＡ、２５０ｍＡ、５００ｍＡ未満、および／または他の電流量である。ワイヤ８６およびワイヤ８７のための動作周波数は、同一または異なってもよい。位相等のワイヤ８６およびワイヤ８７に供給される電流の他の電気動作特性は、同一または異なってもよい。システム１０は、電力が支持構造８５の１つまたはそれを上回るワイヤに供給されると、支持構造８５内および／またはその周囲に生成される電磁場を利用するために使用されてもよい。電磁場は、療法を対象１０６に提供し、および／または対象における健康効果を増進させる。
【００６４】
本説明の目的のために、電磁場は、少なくとも所定の閾値レベルのテスラの電磁場であってもよい。所定の閾値は、１ｐＴ、１ｎＴ、１ｍＴ、１０ｍＴ、１００ｍＴ、および／または別の閾値であってもよい。いくつかの実施形態では、電磁場は、約０．１ミリガウス〜約１００ミリガウス、約１ミリガウス〜約５００ミリガウスの範囲、および／または他の範囲の強度を有してもよい。電磁場の強度は、電磁場発生器１５および／または支持構造８５から所定の距離で測定されてもよい。そのような測定のための所定の距離は、約１インチ、約１フィート、約３フィート、約６フィート、および／または別の距離であってもよい。
【００６５】
図１における支持構造８５と同様または実質的に同一の支持構造を含む、したがって、ワイヤ８６およびワイヤ８７を含む、電気システムのいくつかの実施形態は、ワイヤ８７内を流動する電流と反対方向に流動する、ワイヤ８６内の電流を有するように構成されてもよい。いくつかの実施形態では、一方のワイヤに供給される電流は、直流電流であってもよい一方、別のワイヤに供給される電流は、交流電流であってもよい。非限定的実施例として、支持構造および／または支持構造を使用する電気システムのための付加的構造（「本体」と称される）は、２０１２年４月２６日に出願された米国特許出願第１３／４５７，３４７号「Ｓｙｓｔｅｍ  Ｃｏｎｆｉｇｕｒａｔｉｏｎ  Ｕｓｉｎｇ  Ａ  Ｄｏｕｂｌｅ  Ｈｅｌｉｘ  Ｃｏｎｄｕｃｔｏｒ」ならびに２０１１年８月１９日に出願された米国特許出願第１３／２１３，６０４号「Ｄｏｕｂｌｅ  Ｈｅｌｉｘ  Ｃｏｎｄｕｃｔｏｒ」に説明され得、参照することによって全体として本開示に組み込まれる。これらの特許出願はまた、本明細書では、「第‘３４７号出願」および「第‘６０４号出願」とも称され得る。非限定的実施例として、付加的健康用途ならびに支持構造のための構造および／または支持構造（「本体」と称される）を使用した電気システムは、２０１２年４月２７日出願の米国特許出願第１３／４５８，７１６号「Ｈｅａｌｔｈ  Ａｐｐｌｉｃａｔｉｏｎｓ  ｏｆ  ａ  Ｄｏｕｂｌｅ  Ｈｅｌｉｘ  Ｃｏｎｄｕｃｔｏｒ」に説明され得、参照することによって全体として本開示に組み込まれる。本特許出願はまた、本明細書では、「第‘７１６号出願」とも称され得る。
【００６６】
支持構造８５と同様または実質的に同一の支持構造を含む、電気システムのいくつかの実施形態は、１つまたはそれを上回るランナの周囲に２本巻コイルを形成するように巻回される、１つまたはそれを上回る伝導性ワイヤを含むように構成されてもよい。いくつかの実施形態では、巻線は、カドゥケウス巻線、エアトン・ペリー巻線、３本巻巻線、編組ワイヤの巻線、捻転ワイヤの巻線、および／または他のタイプの巻線のうちの１つまたはそれを上回るものであってもよい。非限定的実施例として、付加的巻線が、第‘３４７号出願に説明され得、支持構造（「本体」と称される）の付加的詳細は、第‘６０４号出願に説明され得る。
【００６７】
いくつかの実施形態では、システム１０は、支持構造８５と同様または実質的に同一の複数の支持構造を含んでもよい。これらの複数の支持構造のための電流は、１つまたはそれを上回る電源および／または電流源によって供給されてもよい。
【００６８】
いくつかの実施形態では、支持構造８５は、支持構造８５の周縁内で利用可能な空間および／または支持構造８５の形状の重心を通して形成される通路の寸法が、所定の寸法であるように構成されてもよい。いくつかの実施形態では、所定の寸法は、約１インチ、約１フィート、約２フィート、約４フィート、約６フィート、および／または別の好適な寸法の直径を含んでもよい。好適な寸法は、治療および／または療法を受容する面積として使用され得るようなヒトの指、手首、肘、腕、足首、膝、脚、肩、（腰）背中、胴体、身体、および／または他の身体部分の平均サイズに依存してもよい。非限定的実施例として、本明細書に説明されるシステムと同様の電気システムの（全身）用途に関する付加的情報は、第‘７１６号出願に説明され得る。
【００６９】
いくつかの実施形態では、ワイヤ８６の導線８６ａおよび８６ｂとワイヤ８７の導線８７ａおよび８７ｂは、同一の回路内で電気的に結合される。本回路は、回路が、例えば、４オーム、８オーム、１６オーム、３２オーム、１００オーム、６００オーム、および／または別の所定の値等の所定の値の公称インピーダンスを有するように配列される、例えば、レジスタ等の１つまたはそれを上回る抵抗構成要素を含んでもよい。いくつかの実施形態では、所定の値は、例えば、オーディオ消費者電子機器を含む、標準的消費者電子機器構成要素および／またはシステムのインピーダンスに整合するように選定されてもよい。これらの実施例は、いかようにも限定として意図されない。非限定的実施例として、抵抗要素および／またはインピーダンス整合に関する付加的情報は、第‘３４７号出願に説明され得る。
【００７０】
図１を参照すると、１つまたはそれを上回るセンサ１４２が、対象１０６の１つまたはそれを上回る器官および／または身体部分に関連する電気生理学的情報および／または測定を伝達する出力信号を発生させるように構成される。１つまたはそれを上回るセンサ１４２は、対象１０６の身体上の任意の場所に留置されてもよい。いくつかの実施形態では、１つまたはそれを上回るセンサ１４２は、非侵襲的であってもよい。例えば、１つまたはそれを上回るセンサ１４２は、対象１０６の皮膚を穿通せず、対象１０６の皮膚に対してまたはその近傍に留置されるように構成されてもよい。１つまたはそれを上回るセンサ１４２は、図１に描写されるように、（第１の）センサ１４２ａおよび（第２の）センサ１４２ｂを含んでもよい。センサ１４２の場所、タイプ、および数は、任意の図における描写によって限定されないものと意図される。いくつかの実施形態では、システム１０は、１つのセンサ、３つのセンサ、および／または別の数のセンサを含んでもよい。図１に描写されるように、センサ１４２ａは、対象１０６の心臓にまたはその近傍に（例えば、対象１０６の胸部の皮膚上）位置付けられてもよい。図１に描写されるように、センサ１４２ｂは、対象１０６の脳にまたはその近傍（例えば、対象１０６の頭部または頭蓋骨上あるいはその近傍）に位置付けられる、および／またはそこに位置してもよい。
【００７１】
いくつかの実施形態では、１つまたはそれを上回るセンサ１４２は、オーディオセンサ、マイクロホン、聴診器、電子聴診器、圧力センサ、動きセンサ、近接センサ、電磁センサ、電極、温度センサ、電流センサ、光学センサ、電気光学センサ、心臓モニタ、電子間質走査（ＥＩＳ）センサおよび／またはデバイス、生体電気インピーダンスセンサおよび／またはデバイス、ＢｉｏＰｕｌｓａｒ（Ｃ）、および／または他のセンサ、デバイス、および／またはそれらの組み合わせを含んでもよい。いくつかの実施形態では、１つまたはそれを上回るセンサ１４２は、対象１０６におけるまたはその近傍のおよび／または対象１０６によって放出される、電気および／または電気生理信号を測定するように構成されてもよい。１つまたはそれを上回るセンサ１４２は、対象１０６によって自然に発生および／または放出される音、電流、電圧、電磁場を伝達するように構成されてもよい。測定された信号は、対象１０６の呼吸特性および／またはパラメータ、対象１０６の心臓／冠状動脈特性および／またはパラメータ、対象１０６の血液動態特性および／またはパラメータ、対象１０６の神経特性および／またはパラメータ、対象１０６の脳関連特性および／またはパラメータ、および／または他の特性および／またはパラメータに関してもよい。いくつかの実施形態では、測定された信号は、脳電図（ＥＥＧ）測定、脳磁図（ＭＥＧ）測定、心電図（ＥＫＧまたはＥＣＧ）測定、心拍変異度（ＨＲＶ）測定、音響心電図（ＡＣＧ）測定、および／または他の測定、特に、ヒト身体によって発生された生体電気信号の測定に関する、および／またはそれに対応し得る。本明細書で使用されるように、発生された出力信号、例えば、ＥＥＧ信号の対応は、標準的ＥＥＧ測定のために使用されるセンサ発生信号と類似情報を含む、発生された出力信号を指す。いくつかの実施形態では、測定は、例えば、Ｐ波、ＰＲ間隔、ＰＲセグメント、ＱＲＳ群、ＳＴセグメント、Ｔ波、ＳＴ間隔、ＱＴ間隔、Ｕ波、Ｊ波、１つまたはそれを上回る心臓弁、および／またはＥＫＧを使用して測定され得る他の機能／周期／振幅、その派生物、および／またはそれらの組み合わせに関する、心臓機能に関連してもよい。代替として、および／または同時に、心臓機能に関連する測定は、ＥＫＧ以外の技法によって測定され得る、レベル、機能、周期、および／または振幅に関してもよい。
【００７２】
いくつかの実施形態では、１つまたはそれを上回るセンサ１４２は、持続様式において、例えば、１日全体を通してまたは治療セッションの間、出力信号を発生させるように構成されてもよい。これは、断続的に、周期的に（例えば、あるサンプリング率で）、継続的に、持続的に、可変間隔において、および／または１日、１週間、１ヶ月、治療、または他の持続時間の周期の少なくとも一部の間、持続する他の方法において、信号を発生させることを含んでもよい。サンプリング率では、約０．００１秒、０．０１秒、０．１秒、１秒、約１０秒、約１分、および／または他のサンプリング率であってもよい。複数の個々のセンサは、必要に応じて、特定の出力信号および／またはそこから導出されたパラメータ（特定のものに関連する周波数）のための異なるサンプリング率を使用して動作してもよいことに留意されたい。例えば、いくつかの実施形態では、発生された出力信号は、ベクトルが、対象１０６の１つまたはそれを上回るタイプの電気生理学的情報に関連して伝達される情報の複数のサンプルを含むように、出力信号のベクトルと見なされ得る。異なるパラメータは、異なるベクトルに関連してもよい。出力信号のベクトルから持続様式で判定される特定のパラメータは、その特定のパラメータのベクトルと見なされ得る。
【００７３】
図１を参照すると、いくつかの実施形態では、システム１０は、増幅器２０を含んでもよい。増幅器２０は、信号を増幅させるように構成されてもよい。増幅器２０は、増幅器２０が、１つまたはそれを上回る入力上に提示される信号を増幅し、増幅された信号を１つまたはそれを上回る出力に提供するように、１つまたはそれを上回る入力および１つまたはそれを上回る出力を含んでもよい。増幅器２０は、複数のチャネルを含む、および／またはサポートしてもよい。増幅器２０のための入力信号は、１つまたはそれを上回るセンサ１４２からのセンサ発生出力信号に電気的に結合される、および／またはそれに基づいてもよい。いくつかの実施形態では、センサ発生出力信号は、音響および／または可聴信号を含んでもよい。増幅器２０の出力信号は、信号駆動電磁場発生器８５の基礎に電気的に結合される、および／またはそれを形成してもよい。いくつかの実施形態では、増幅器２０からの出力信号は、直接、電流源１１または電流源１２を使用せずに、ワイヤ８６および／またはワイヤ８７の電気導線に電気的に結合されてもよい。いくつかの実施形態では、増幅器２０からの出力信号は、電流源１１および／または電流源１２の動作を制御するために使用されてもよく、順に、ワイヤ８６および／またはワイヤ８７を通して１つまたはそれを上回る電流を誘発し得る。いくつかの実施形態では、１つまたはそれを上回る誘発された交流電流は、１つまたはそれを上回る交流電流の１つまたはそれを上回る周波数が、センサ発生出力信号の１つまたはそれを上回る周波数に対応するように、動的に制御されてもよい。
【００７４】
いくつかの実施形態では、増幅器２０の第１のチャネルは、電流が第１の特定の方向に流動するように、システム１０の第１のランナ８８に動作可能に接続されてもよい。同時に、増幅器２０の第２のチャネルは、電流が第２の特定の方向に流動するように、システム１０の第２のランナ８９に動作可能に接続されてもよい。いくつかの実施形態では、システム１０は、第１の特定の方向が第２の特定の方向と反対であるように構成されてもよい。
【００７５】
例証として、図２は、療法を対象に提供する、および／または対象における健康効果を増進させるためのシステム１０ａを図式的に図示する。システム１０ａは、図１におけるシステム１０と類似または同一特徴を含んでもよい。例えば、図２におけるシステム１０ａの支持構造８５は、図１におけるシステム１０の支持構造８５等と同様または同一であってもよい。
【００７６】
システム１０ａは、システム１０（図１）に関係して説明される構成要素、特徴、および機能性のいずれかに加え、プロセッサ１１０、ユーザインターフェース１２０、電子記憶１３０、変換器１４３、１つまたはそれを上回るコンピュータプログラムモジュール、および／または他の構成要素のうちの１つまたはそれを上回るものを含んでもよい。
【００７７】
変換器１４３は、マイクロホン、聴診器（アナログおよび／またはデジタル）、および／または他のデバイスおよび／または構成要素のうちの１つまたはそれを上回るものを含んでもよい。変換器１４３は、音響信号を１つまたはそれを上回る電気信号に変換するように構成されてもよい。
【００７８】
図２におけるシステム１０ａのプロセッサ１１０は、システム１０ａ内に情報処理能力を提供するように構成される。したがって、プロセッサ１１０は、デジタルプロセッサ、アナログプロセッサ、情報を処理するように設計されるデジタル回路、中央処理ユニット、グラフィック処理ユニット、情報を処理するように設計されるアナログ回路、および／または情報を電子的に処理するための他の機構のうちの１つまたはそれを上回るものを含む。プロセッサ１１０は、単一エンティティとして、図２に示されるが、これは、例証目的にすぎない。いくつかの実施形態では、プロセッサ１１０は、複数の処理ユニットを含んでもよい。
【００７９】
図２に示されるように、プロセッサ１１０は、１つまたはそれを上回るコンピュータプログラムモジュールを実行するように構成される。１つまたはそれを上回るコンピュータプログラムモジュールは、音声入力モジュール１１１、再生モジュール１１２、処理モジュール１１３、および／または他のモジュールのうちの１つまたはそれを上回るものを含んでもよい。プロセッサ１１０は、ソフトウェア；ハードウェア；ファームウェア；ソフトウェア、ハードウェア、および／またはファームウェアのいくつかの組み合わせ；および／またはプロセッサ１１０上に処理能力を構成するための他の機構によって、モジュール１１１−１１３を実行するように構成されてもよい。
【００８０】
モジュール１１１−１１３は、単一処理ユニット内にともに位置するように、図２に図示されるが、プロセッサ１１０が複数の処理ユニットを含む実施形態では、モジュール１１１−１１３のうちの１つまたはそれを上回るものは、他のモジュールから遠隔に位置してもよいことを理解されたい。本明細書に説明される異なるモジュール１１１−１１３によって提供される機能性の説明は、例証目的であって、限定として意図されず、モジュール１１１−１１３のいずれも、説明されるものより多いまたは少ない機能性を提供してもよい。例えば、モジュール１１１−１１３のうちのまたはそれを上回るものは、排除されてもよく、その機能性の一部または全部は、モジュール１１１−１１３の他のものに組み込まれる、それと共有される、その中に統合される、および／または別様にそれによって提供されてもよい。プロセッサ１１０は、モジュール１１１−１１３のうちの１つの下位に属する機能性の一部または全部を行い得る、１つまたはそれを上回る付加的モジュールを実行するように構成されてもよいことに留意されたい。
【００８１】
入力モジュール１１１は、情報を得るように構成されてもよい。いくつかの実施形態では、情報は、センサ発生出力信号に基づいて得られてもよい。いくつかの実施形態では、情報は、変換器１４３からの電気信号に基づいて得られ得る。いくつかの実施形態では、情報は、マイクロホンまたは他の音響／電気変換器および／またはセンサを通して得られ得る。例えば、入力モジュール１１１は、対象１０６の心拍の音、および／または対象１０６の僧帽弁、三尖弁、大動脈弁、および／または肺動脈弁に関連する１つまたはそれを上回る音を表す、電気信号を得るように構成されてもよい。
【００８２】
いくつかの実施形態では、情報は、記憶、例えば、電子記憶から取得されてもよい。記憶から取得された情報は、ＭＰ３、ＷＭＡ、ＷＡＶ、ＡＩＦＦ、および／または他のオーディオ形式を含むが、それらに限定されない、任意の形式における電子オーディオファイル（また、オーディオトラックとも称される）を含んでもよい。オーディオ形式は、非圧縮、可逆圧縮、および／または不可逆圧縮であってもよい。いくつかの実施形態では、得られた情報は、１人またはそれを上回る人々の話し声、歌、および／または聖歌のオーディオトラックを含んでもよい。例えば、１人またはそれを上回る人々は、従来の「オーム」音を発生および／または産生し得る（例えば、ヒンドゥー教において知られるように）。
【００８３】
いくつかの実施形態では、情報は、蓄音機、ＣＤプレーヤ、ＤＶＤプレーヤ、ＡＭ無線、ＦＭ無線、および／または他の音声源を含む、従来の音声源から取得されてもよい。電子記憶は、システム１０ａに対してローカルであってもよく、および／または例えば、インターネット等のネットワーク接続を通して、遠隔場所からアクセス可能であってもよい。いくつかの実施形態では、入力モジュール１１によって得られる情報は、センサ発生出力信号（１つまたはそれを上回るセンサ１４２からの）、１つまたはそれを上回る電気信号（変換器１４３からの）、および／または記憶から得られた情報のうちの１つまたはそれを上回るものの組み合わせであってもよい。
【００８４】
処理モジュール１１３は、入力モジュール１１１から得られた情報を処理するように構成されてもよい。処理モジュール１１３は、得られた情報に基づいて処理された信号を発生させるように構成されてもよい。例えば、処理モジュール１１３は、入力モジュール１１１からの情報または信号を変換、フィルタ処理、修正、および／または別様に転換し、処理された信号を発生させてもよい。いくつかの実施形態では、得られた信号は、第１の範囲の周波数を有する、冠状動脈または心臓信号であってもよい。処理モジュール１１３は、第２の範囲の周波数が、処理された信号の音響再現に好適であり得るように、信号処理技法を使用して、第１の範囲の周波数を第２の範囲の周波数に転換するように構成されてもよい。いくつかの実施形態では、得られた信号は、脳活動を表し、第１の範囲の周波数を有してもよい。フィルタ処理、変換、転換、および／または他の信号処理技法を通して、処理された信号は、第２の範囲の周波数を有してもよい。第２の範囲は、音響再現に好適であり得る。
【００８５】
再生モジュール１１２は、処理モジュール１１２からの処理信号に基づいて、音信号を産生するように構成されてもよい。いくつかの実施形態では、再生モジュール１１２は、入力モジュール１１１から得られた情報に基づいて、音信号を産生するように構成されてもよい。例えば、再生モジュール１１２は、対象１０６の心拍の音を表す得られた電気信号に基づいて、音信号を産生するように構成されてもよい。産生された音信号は、可能性として、処理モジュール１１２を通して処理されるが、対象１０６の心拍の音を表し得る。対象１０６によって産生または放出される他の自然に生じる音あるいは電磁信号は、本開示の範囲内と見なされる。
【００８６】
再生モジュール１１２によって作成される音声信号は、アナログおよび／またはデジタル信号であってもよい。再生モジュール１１２によって作成される音声信号は、電気、光学、および／または他の媒体の使用であってもよい。再生モジュール１１２によって作成される音声信号は、ラインアウトコネクタ、先端−リング−スリーブ（ＴＲＳ）コネクタ、先端−リング−リング−スリーブ（ＴＲＲＳ）コネクタ、ＴＯＳＬＩＮＫコネクタ、Ｓ／ＰＤＩＦコネクタ、ＦｉｒｅＷｉｒｅ（ＴＭ）コネクタ、ＨＤＭＩ（登録商標）コネクタ、ＤＶＩコネクタ、ＵＳＢコネクタ、および／またはオーディオ信号を転送可能な他のコネクタを含むが、それらに限定されない、１つまたはそれを上回る信号コネクタを通して、アクセス可能であってもよい。再生モジュール１１２によって作成される音声信号は、支持構造８５の１つまたはそれを上回る伝導性ワイヤを通る電流が、作成された音声信号に対応するように、支持構造８５（図２に描写される）の１つまたはそれを上回る伝導性ワイヤの導線に電気的に結合されてもよい。
【００８７】
いくつかの実施形態では、再生モジュール１１２によって作成される音声信号は、支持構造８５の１つまたはそれを上回る伝導性ワイヤの導線に電気的に結合される前に、増幅器２０によって増幅されてもよい。いくつかの好ましい実施形態では、増幅器２０は、１００Ｗ〜４００Ｗの範囲のオーディオ増幅器であってもよい。他のタイプの増幅器および／または異なる電力範囲を有する増幅器もまた、想定される。
【００８８】
いくつかの実施形態では、再生モジュール１１２によって産生された音信号は、いずれかに説明されるように、１つまたはそれを上回る電流源、例えば、電流源１１および／または電流源１２を制御するために使用されてもよく、順に、交流電流を電磁場発生器１５内に誘発する。
【００８９】
いくつかの実施形態では、システム１０は、電磁場発生器１５のトロイダル形状の断面が、約３インチ〜約８インチであって、支持構造８５を通して形成される通路の直径が、約１フィート〜約４フィートであるように構成されてもよい。いくつかの実施形態では、電磁場発生器１５は、対象１０６から、および／または、特に、治療されるべき対象１０６の身体部分から約１フィート〜約３フィート（例えば、上方）に懸架されてもよい。例えば、腰部疼痛を治療するために、電磁場発生器１５は、疼痛面積の約１フィート上方に懸架されてもよい。一例として、限定ではないが、治療は、複数の周期を含んでもよく、その間、増幅器２０は、異なるパーセンテージの出力電力に設定される。例えば、５分の第１の周期の間、増幅器２０は、利用可能な電力の２５％に設定されてもよく、５分の第２の周期の間、増幅器２０は、利用可能な電力の５０％に設定されてもよく、５分の第３の周期の間、増幅器２０は、利用可能な電力の７５％に設定されてもよく、５〜１５分の第４の周期の間、増幅器２０は、利用可能な電力の１００％に設定されてもよい。
【００９０】
いくつかの実施形態では、システム１０は、変換器１４３、例えば、電子マイクロホンを含むように構成されてもよい。変換器１４３は、例えば、ＡＣＧを電子マイクロホンに接続することによって、音響心電図（ＡＣＧ）信号を産生するように構成されてもよい。ＡＣＧ信号は、増幅器２０によって増幅されてもよい。増幅器２０の１つまたは２つのチャネルは、電磁場発生器１５の一方または両方のランナ（すなわち、ランナ上に形成されるコイル）に動作可能に接続されてもよい。例えば、２つのチャネルは、コイルを通る電流が反対方向に流動するように動作可能に接続されてもよい。変換器１４３は、変換器１４３が、対象１０６の心臓に関連する電気生理学的情報を表す信号を選別する、例えば、信号が、対象１０６の大動脈弁に関連し得るように、対象１０６の近傍に配列されてもよい。電磁場発生器１５は、治療されるべき対象１０６の面積の約１フィート上方に懸架されてもよい。一例として、限定ではなく、治療は、複数の周期を含んでもよく、その間、増幅器２０は、異なるパーセンテージの出力電力に設定される。例えば、５分の第１の周期の間、増幅器２０は、利用可能な電力の２５％に設定されてもよく、５分の第２の周期の間、増幅器２０は、利用可能な電力の５０％に設定されてもよく、５分の第３の周期の間、増幅器２０は、利用可能な電力の７５％に設定されてもよく、５〜１５分の第４の周期の間、増幅器２０は、利用可能な電力の１００％に設定されてもよい。
【００９１】
図２におけるシステム１０ａの電子記憶１３０は、情報を電子的に記憶する、電子記憶媒体を備える。電子記憶１３０の電子記憶媒体は、システム１０ａと一体的に提供される（すなわち、実質的に、非可撤性）、システム記憶、および／または、例えば、ポート（例えば、ＵＳＢポート、Ｆｉｒｅｗｉｒｅポート等）またはドライブ（例えば、ディスクドライブ等）を介して、システム１０ａに接続可能である、可撤性記憶の一方あるいは両方を含んでもよい。電子記憶１３０は、光学的に読取可能な記憶媒体（例えば、光ディスク等）、磁気的に読取可能な記憶媒体（例えば、磁気テープ、磁気ハードドライブ、フロッピー（登録商標）ドライブ等）、電荷ベースの記憶媒体（例えば、ＥＰＲＯＭ、ＥＥＰＲＯＭ、ＲＡＭ等）、固体記憶媒体（例えば、フラッシュドライブ等）、および／または他の電子的に読取可能な記憶媒体のうちの１つまたはそれを上回るものを含んでもよい。電子記憶１３０は、ソフトウェアアルゴリズム、プロセッサ１１０によって判定された情報、ユーザインターフェース１２０を介して受信された情報、および／またはシステム１０ａが適切に機能することを可能にする他の情報を記憶してもよい。例えば、電子記憶１３０は、音声情報および／または電子オーディオファイル（本明細書のいずれかに論じられるように）、および／または他の情報を記憶してもよい。電子記憶１３０は、システム１０ａ内の別個の構成要素であってもよく、または電子記憶１３０は、システム１０ａの１つまたはそれを上回る他の構成要素（例えば、プロセッサ１１０）と一体的に提供されてもよい。
【００９２】
図２におけるシステム１０ａのユーザインターフェース１２０は、それを通して、ユーザが、システム１０ａに情報を提供し、そこから情報を受信することができる、システム１０ａとユーザ（例えば、ユーザ１０８、対象１０６、介護者、療法決定者等）との間のインターフェースを提供するように構成される。これは、集合的に、「情報」と称される、データ、結果、および／または命令ならびに任意の他の通信可能アイテムが、ユーザとシステム１０ａとの間で通信されることを可能にする。ユーザ１０８に伝達され得る情報の実施例は、再生モジュール１１２によって作成される音声信号の音量および／または強度の指示である。ユーザインターフェース１２０内に含有するために好適なインターフェースデバイスの実施例として、キーパッド、ボタン、スイッチ、キーボード、ノブ、レバー、ディスプレイ画面、タッチスクリーン、スピーカ、マイクロホン、インジケータライト、可聴アラーム、およびプリンタが挙げられる。情報は、ユーザインターフェース１２０によって、可聴信号、視覚信号、触知信号、および／または他の感覚信号の形態において、ユーザ１０８または対象１０６に提供されてもよい。
【００９３】
有線または無線のいずれかの他の通信技法もまた、本明細書では、ユーザインターフェース１２０として想定されることを理解されたい。例えば、一実施形態では、ユーザインターフェース１２０は、電子記憶１３０によって提供される可撤性記憶インターフェースと統合されてもよい。本実施例では、情報は、可撤性記憶（例えば、スマートカード、フラッシュドライブ、可撤性ディスク等）からシステム１０ａ内にロードされ、ユーザがシステム１０ａをカスタマイズすることを可能にする。ユーザインターフェース１２０としてシステム１０ａと併用するために適合される、他の例示的入力デバイスおよび技法として、ＲＳ−２３２ポート、ＲＦリンク、ＩＲリンク、モデム（電話、ケーブル、Ｅｔｈｅｒｎｅｔ（登録商標）、インターネット、またはその他）が挙げられるが、それらに限定されない。要するに、情報をシステム１０ａと通信するための任意の技法が、ユーザインターフェース１２０として想定される。
【００９４】
図３Ａ−３Ｂは、療法を対象に提供するための方法３００−３５０を図示する。以下に提示される方法３００−３５０の動作は、例証であるものと意図される。ある実施形態では、方法３００−３５０は、説明されていない、および／または論じられる動作のうちの１つまたはそれを上回るものを伴わずに、１つまたはそれを上回る付加的動作を用いて遂行されてもよい。加えて、３００−３５０の動作が、図３Ａ−３Ｂに図示され、以下に説明される順序は、限定を意図するものではない。
【００９５】
ある実施形態では、方法３００−３５０は、１つまたはそれを上回る処理デバイス（例えば、デジタルプロセッサ、アナログプロセッサ、情報を処理するために設計されたデジタル回路、情報を処理するために設計されたアナログ回路、および／または情報を電子処理するための他の機構）内に実装されてもよい。１つまたはそれを上回る処理デバイスは、電子記憶媒体上に電子的に記憶された命令に応答して、方法３００−３５０の動作の一部または全部を実行する、１つまたはそれを上回るデバイスを含んでもよい。１つまたはそれを上回る処理デバイスは、方法３００−３５０の動作のうちの１つまたはそれを上回るものの実行のために具体的に設計されるハードウェア、ファームウェア、および／またはソフトウェアを通して構成される１つまたはそれを上回るデバイスを含んでもよい。
【００９６】
方法３００に関して、動作３０２では、支持構造が、対象および／または対象の身体部分の一方または両方にあるいはその近傍に配列される。支持構造は、伝導性ワイヤを含む。一実施形態では、動作３０２は、システム１０（図２に図示および前述）のユーザによって行われる。
【００９７】
動作３０４では、出力信号が、対象の１つまたはそれを上回る器官に関連する電気生理学的情報を伝達するように発生される。一実施形態では、動作３０４は、センサ１４２（図１に図示および前述）と同様または実質的に同一の１つまたはそれを上回るセンサによって行われる。
【００９８】
動作３０６では、交流電流が、伝導性ワイヤを通して誘発され、それによって、療法を対象に提供する電磁場を発生させる。交流電流は、発生された出力信号に対応するように動的に制御される。一実施形態では、動作３０６は、電流源１１および／または電流源１２（図１に図示および前述）と同様または実質的に同一の１つまたはそれを上回る電流源によって行われる。
【００９９】
方法３５０に関して、動作３５２では、支持構造が、対象および／または対象の身体部分の一方または両方にあるいはその近傍に配列される。支持構造は、伝導性ワイヤを含む。一実施形態では、動作３５２は、システム１０（図２に図示および前述）のユーザによって行われる。
【０１００】
動作３５４では、音響信号が、電気信号に変換される。音響信号は、対象の１つまたはそれを上回る器官に関連する情報を伝達する。一実施形態では、動作３５４は、変換器１４３（図２に図示および前述）と同様または実質的に同一の変換器によって行われる。
【０１０１】
動作３５６では、交流電流が、伝導性ワイヤを通して誘発され、それによって、療法を対象に提供する電磁場を発生させる。交流電流は、電気信号に対応する。一実施形態では、動作３５６は、電流源１１および／または電流源１２（図１に図示および前述）と同様または実質的に同一の１つまたはそれを上回る電流源によって行われる。
【０１０２】
図４は、療法を対象１０６に提供する、および／または対象１０６における健康効果を増進させるためのシステム１０ｂを図式的に図示する。システム１０ｂは、本体８５、支持構造８５ｂ、１つまたはそれを上回る支持柱４２、支持構造４４、１つまたはそれを上回る昇降機構４３、および／または他の構成要素のうちの１つまたはそれを上回るものを含んでもよい。図４における本体８５は、前述の図１または図２における本体８５と同様または実質的に同一であってもよい。具体的には、図４における本体８５は、図１または図２の本体８５に関連して本明細書に説明される、特徴、機能、および／または構造のいずれかを含んでもよい。図４を参照すると、本体８５の１つまたはそれを上回るワイヤは、電磁場が、本体８５のトロイダル形状の重心にまたはその近傍に生成されるように、ワイヤの導線を通して電流を受電するように構成される。電磁場は、療法を対象１０６に提供し、および／または対象１０６における健康効果を増進させる。
【０１０３】
支持構造４４は、対象１０６、支持柱４２、本体８５、および／またはシステム１０ｂの他の構成要素のうちの１つまたはそれを上回るものを支持するように構成されてもよい。いくつかの実施形態では、支持構造４４は、プラットフォームおよび／またはベースを含んでもよい。
【０１０４】
支持構造８５ａは、本体８５を支持するように構成されてもよい。本体８５は、支持柱４２、昇降機構４３、および／または支持構造４４のうちの１つまたはそれを上回るものに機械的に結合するように構成されてもよい。いくつかの実施形態では、支持構造８５ａは、棚および／またはトレイを含んでもよい。支持構造８５ａは、支持構造８５ａおよび本体８５が、通路内および／またはその内側において、対象１０６の位置に対して移動され得るように、支持構造８５を通して形成される通路と一致する中心内に開放面積を含んでもよい。言い換えると、本体８５は、対象１０６の周囲に配置され、および／または対象１０６の異なる身体部分をカバーするように、上下に移動してもよい。例えば、支持構造８５ａおよび本体８５の移動は、図４に描写されるように、実質的に、垂直であってもよい。本実施例は、限定と意図されないことに留意されたい。対象１０６が実質的に水平位置に置かれる実施形態もまた、想定される。そのような場合、本体８５、支持構造８５ａ、支持柱４２、および／または他の構成要素を含み得る、他の構成要素の位置は、適宜、調節されてもよい。
【０１０５】
支持柱４２は、本体８５、支持体８５ａ、昇降機構４３、および／またはシステム１０ｂの他の構成要素のうちの１つまたはそれを上回るものを支持するように構成されてもよい。図４における２つの支持柱４２の描写は、限定と意図されない。
【０１０６】
昇降機構４３は、所定の様式または経路において、本体８５および／または支持構造８５ａを移動させるように構成されてもよい。例えば、所定の経路は、図４に描写され、かつ昇降機構４３近傍の矢印によって示されるように、上下であってもよい。図４における２つの昇降機構４３の描写は、限定と意図されない。いくつかの実施形態では、昇降機構４３は、電気モータおよび／またはリフトを含んでもよい。
【０１０７】
システム１０ｂの動作の間の１つまたはそれを上回る昇降機構４３の制御は、対象１０６および／または支持構造４４に対する開始位置の判定、システム１０ｂの配向および位置に対する本体８５および／または支持体８５ａの移動方向の判定、移動速度の判定、移動範囲の判定（例えば、対象１０６の特定の身体部分に関連する）、対象１０６（全部または一部）を横断する掃引数の判定、本体８５の位置に応じて、あるいは対象１０６の異なる部分に沿って、変動し得る、使用される電磁場に対応する、強度レベル、周波数、および／または特定の音声情報の判定、および／またはシステム１０ｂの他の動作条件のうちの１つまたはそれを上回るものを含んでもよい。例えば、特定の対象の具体的腰痛を治療するために、昇降機構４３は、意図された治療面積の中心において開始するように制御されてもよく、続いて、本体８５および／または支持体８５ａに対して意図された所定の周期または所定の掃引数の間、中心の両側の所定の移動範囲、例えば、１０インチ（２５センチメートル）の範囲を横断して掃引し、処方される治療を提供するように制御されてもよい。いくつかの実施形態では、システム１０ｂの動作条件の制御は、プロセッサによって実行される、コンピュータプログラムモジュールによって実装されてもよい。例えば、具体的腰痛に関連して前述の１セットの掃引は、コンピュータプログラムモジュールによってプログラム可能に制御されてもよい。
【０１０８】
本発明は、現在、最も実践的かつ好ましい実施形態と見なされるものに基づいて、例証の目的のために詳細に説明されたが、そのような詳細は、そのような目的のためにすぎず、本発明は、開示される実施形態に限定されず、対照的に、添付の請求項の精神および範囲内にある、修正および同等配列を網羅することを意図することを理解されたい。例えば、本発明は、可能な範囲において、任意の実施形態の１つまたはそれを上回る特徴が、任意の他の実施形態の１つまたはそれを上回る特徴と組み合わせることができることを想定することを理解されたい。例えば、いくつかの実施形態では、システム１０は、増幅器２０（図１に図示）ならびに１つまたはそれを上回るコンピュータプログラムモジュール１１１−１１３（図２に図示）を含んでもよい。
【図１】
2016526399.tif 000003
【図２】
2016526399.tif 000004
【図３Ａ】
2016526399.tif 000005
【図３Ｂ】
2016526399.tif 000006
【図４】
2016526399.tif 000007
【国際調査報告】
2016526399.tif 000008
2016526399.tif 000009
2016526399.tif 000010
2016526399.tif 000011